(57)【要約】【課題】通信に関する処理を実行する複数の処理部（ＤＳＰ）を有した処理部ユニットＢ１〜ＢＮを１又は複数備えた通信装置で、電力消費などについて効率化を図る。【解決手段】処理部ユニット電力供給量制御手段２３、２４が処理部ユニットＢ１〜ＢＮにおいて実行される処理の量に基づいて決定される量の電力が当該処理部ユニットＢ１〜ＢＮへ供給されるように制御する。また、処理実行処理部移行手段２１、２２、２３、２５が所定の処理部ユニットＢ１〜ＢＮが有する所定の処理部により実行される処理を実行する処理部を、当該所定の処理部から他の処理部ユニットＢ１〜ＢＮが有する所定の処理部へ移行させる。【選択図】      図１
2004235969.tif 000002
【特許請求の範囲】
【請求項１】
通信に関する処理を実行する複数の処理部を有した処理部ユニットを備えた通信装置であって、
処理部ユニットにおいて実行される処理の量に基づいて決定される量の電力が当該処理部ユニットへ供給されるように制御する処理部ユニット電力供給量制御手段を備えた、
ことを特徴とする通信装置。
【請求項２】
通信に関する処理を実行する複数の処理部を有した処理部ユニットを複数備えた通信装置であって、
所定の処理部ユニットが有する所定の処理部により実行される処理を実行する処理部を、当該所定の処理部から他の処理部ユニットが有する所定の処理部へ移行させる処理実行処理部移行手段を備えた、
ことを特徴とする通信装置。
【請求項３】
請求項２に記載の通信装置において、
処理実行処理部移行手段による移行後に、各処理部ユニットについて、実行される処理の量に基づいて決定される量の電力が供給されるように制御する処理部ユニット電力供給量制御手段を備えた、
ことを特徴とする通信装置。
【発明の詳細な説明】
【０００１】
【発明の属する技術分野】
本発明は、複数の処理部を有した処理部ユニットを１又は複数備えた通信装置に関し、特に、電力消費などについて効率化を図る通信装置に関する。
【０００２】
【従来の技術】
例えば、携帯電話システムなどの移動体通信システムでは、基地局装置と移動局装置とが無線により通信することが行われている。
図６には、携帯電話システムの基地局装置の構成例を示してある。
同図に示した基地局装置には、制御部３１と、変復調部３２と、増幅部（ＡＭＰ部）３３と、外部インタフェース部３４と、電源部３５と、２つのベースバンド信号処理部Ｃ１、Ｃ２が備えられている。
【０００３】
基地局装置は、通常、制御部３１や、ベースバンド信号処理部Ｃ１、Ｃ２や、変復調部３２などといった各機能毎のカードにより構成される。
ここで、各カードは故障時にそなえて複数枚備えられる場合があるが、特に、ベースバンド信号処理部については、多数の移動体端末装置との通信に関する信号処理を分散させるために及び故障時のリスクを分散させるために、本例のように、複数のカードを備えるのが通例である。
【０００４】
また、２つのベースバンド信号処理部Ｃ１、Ｃ２については、制御部３１により通信トラフィック量の増減を検知して各カード内のＤＳＰ（Ｄｉｇｉｔａｌ  Ｓｉｇｎａｌ  Ｐｒｏｃｅｓｓｏｒ）などのハードウエア・リソースを割り振ることが行われる。しかしながら、従来では、このような割り振りについて十分な検討が為されておらず、更なる開発が望まれていた。
【０００５】
また、これら複数のカードは、基地局装置が稼動中であるときには常に、機能する状態に置かれる。しかしながら、従来では、例えば深夜などのように通信トラフィック量が著しく低下する時間帯において、１つのベースバンド信号処理部Ｃ１だけで必要な処理を行うことができる状況下であっても、常に他のベースバンド信号処理部Ｃ２も動作していたため、無駄な電力を消費してしまっていた。
【０００６】
なお、電力供給に関する制御として、従来では、移動通信システムの基地局装置において、移動体端末装置から送信される信号をアンテナダイバーシチにより受信するに際して、複数の受信回路から出力される信号中の通信トラフィック量が閾値以下である場合などに、１つの受信回路以外の受信回路への供給電力を断することが行われている（例えば、特許文献１参照。）。
【０００７】
【特許文献１】
特開２０００−４９６８８号公報
【０００８】
【発明が解決しようとする課題】
上記従来例で述べたように、従来の基地局装置では、通信に関する処理を複数のベースバンド信号処理部Ｃ１、Ｃ２のＤＳＰに割り当てることについて更なる開発が望まれていた。
また、上記従来例で述べたように、従来の基地局装置では、複数のベースバンド信号処理部Ｃ１、Ｃ２により消費される電力の量を低減させたいといった要求があった。
【０００９】
このように、従来の基地局装置では、例えば複数のＤＳＰを有したバースバンド信号処理部Ｃ１、Ｃ２を備える構成や、このようなベースバンド信号処理部を複数備える構成に関して、電力消費などについて効率化を図ることが望まれていた。
【００１０】
本発明は、このような従来の事情に鑑み為されたもので、通信に関する処理を実行する複数の処理部を有した処理部ユニットを１又は複数備えた構成において、電力消費などについて効率化を図ることができる通信装置を提供することを目的とする。
【００１１】
【課題を解決するための手段】
上記目的を達成するため、本発明に係る通信装置では、通信に関する処理を実行する複数の処理部を有した処理部ユニットを備えた構成において、処理部ユニット電力供給量制御手段が、処理部ユニットにおいて実行される処理の量に基づいて決定される量の電力が当該処理部ユニットへ供給されるように制御する。
【００１２】
従って、例えば処理部ユニットが有する全ての処理部において実行される処理の量の全体に応じて当該処理部ユニットへ供給される電力の量が制御されるため、処理部ユニットにより消費される電力の量を小さくすることが可能である。具体的には、例えば従来のように最大の量の処理を実行することが可能な電力が常に処理部ユニットへ供給されるような場合と比べて、処理部ユニットにより消費される電力の量を低減させることができる。
【００１３】
このように、本発明では、１つの処理部ユニットにおける全体的な処理の量に応じた量の電力が当該処理部ユニットへ供給されるように制御することにより、当該処理部ユニットによる電力消費について効率化を図ることができる。また、例えば、複数の処理部ユニットが備えられる場合には、各処理部ユニット毎に供給する電力の量を制御することができる。
【００１４】
ここで、通信装置としては、種々なものが用いられてもよく、例えば、送信機能を有する送信装置が用いられてもよく、受信機能を有する受信装置が用いられてもよく、或いは、送信機能及び受信機能を有する送受信装置が用いられてもよい。
また、通信に関する処理としては、種々な処理が用いられてもよく、例えば、送信に関する処理が用いられてもよく、受信に関する処理が用いられてもよく、或いは、送信に関する処理及び受信に関する処理が用いられてもよい。
【００１５】
また、１つの処理部ユニットが有する複数の処理部の数としては、種々な数が用いられてもよい。
また、通信装置に備えられる処理部ユニットの数としては、種々な数が用いられてもよく、例えば、１であってもよく、或いは、複数であってもよい。
また、処理部としては、種々なものが用いられてもよい。
また、処理部ユニットとしては、種々なものが用いられてもよい。
【００１６】
また、処理部ユニットへ供給する電力の量としては、例えば、当該処理部ユニットにおいて実行される全体的な処理の量に基づいて決定され、具体例として、処理量から電力量を求める数式を用いた演算や、処理量と電力量との対応関係を規定するテーブルなどを用いて、決定される。
【００１７】
また、処理部ユニットへ供給する電力の量としては、例えば、当該処理部ユニットにおいて実行される処理に必要な最小限の量とすると、消費される電力の量が必要最小限となって好ましいが、当該必要な最小限の量と比べて多い量の電力を供給するような態様が用いられてもよい。
また、処理部ユニットへ供給する電力の量としては、例えば、ゼロが用いられてもよい。
【００１８】
また、本発明に係る通信装置では、通信に関する処理を実行する複数の処理部を有した処理部ユニットを複数備えた構成において、処理実行処理部移行手段が、所定の処理部ユニットが有する所定の処理部により実行される処理を実行する処理部を、当該所定の処理部から他の処理部ユニットが有する所定の処理部へ移行させる。
【００１９】
従って、所定の処理部ユニットが有する所定の処理部により実行される処理が、他の処理部ユニットが有する所定の処理部により実行されるように、処理を実行する処理部を移行させることにより、例えば、処理を実行する処理部を１つの処理部ユニットに集中させることや、或いは、処理を実行する処理部を複数の処理部ユニットに分散させることなどができ、これにより、電力消費などについて効率化を図ることができる。
【００２０】
ここで、通信装置に備えられる複数の処理部ユニットの数としては、種々な数が用いられてもよい。
また、移行元となる所定の処理部ユニットが有する所定の処理部について、所定の処理部ユニットとしては種々な処理部ユニットが用いられてもよく、所定の処理部としては種々な処理部が用いられてもよい。
【００２１】
また、移行先となる他の処理部ユニットが有する所定の処理部について、他の処理部ユニットとしては種々な処理部ユニットが用いられてもよく、所定の処理部としては種々な処理部が用いられてもよい。なお、移行先となる当該所定の処理部としては、例えば、処理を非実行である処理部が用いられ、つまり、処理を実行していない処理部が用いられる。
【００２２】
また、いずれの処理部ユニットが有するいずれの処理部を移行元の処理部とするかや、いずれの処理部ユニットが有するいずれの処理部を移行先の処理部とするかについては、例えば、移行元の処理部を決定する手順を定める規則や、移行先の処理部を決定する手順を定める規則が設定されるような態様を用いることができる。
【００２３】
また、本発明に係る通信装置では、一構成例として、処理実行処理部移行手段による移行後に、処理部ユニット電力供給量制御手段が、各処理部ユニットについて、実行される処理の量に基づいて決定される量の電力が供給されるように制御する。
従って、処理を実行する処理部が移行させられた後に、各処理部ユニットにおいて実行される処理の量に応じた量の電力が当該各処理部ユニットへ供給されるように制御されることにより、各処理部ユニットによる電力消費について効率化を図ることができる。
【００２４】
ここで、処理実行処理部移行手段による移行前と移行後とで消費電力量が変化しない（つまり、同一である）処理部ユニットへの電力供給量については、例えば、特に制御されずに、移行後においても移行前における電力供給量をそのまま維持するような態様が用いられてもよい。
【００２５】
以下で、更に、本発明の構成例を示す。
本発明に係る通信装置では、一構成例として、複数のチャネルの通信に関する処理を行う。また、各処理部は、それぞれ、１つのチャネルの通信に関する処理を実行する。
ここで、複数のチャネルの数としては、種々な数が用いられてもよい。
また、複数のチャネルとしては、種々なものが用いられてもよく、例えば、複数の通信相手が存在する場合に、それぞれの通信相手とそれぞれのチャネルにより通信するような態様を用いることができる。
【００２６】
また、本発明に係る通信装置では、一構成例として、各処理部により実行する処理のチャネルを割り当てる処理部処理実行チャネル割当手段を備える。
ここで、各処理部により実行する処理のチャネルとしては、例えば、変更可能に割り当てられてもよく、或いは、固定的に割り当てられてもよい。
また、各処理部により実行する処理のチャネルを割り当てる態様としては、種々な態様が用いられてもよく、例えば、設定された規則や或いは処理の状況などに応じて割り当てるような態様を用いることができる。
【００２７】
また、本発明に係る通信装置では、一構成例として、各処理部はＤＳＰから構成され、通信に関する処理としてベースバンド信号の処理が実行され、処理部ユニットはベースバンド信号処理カードから構成される。
ここで、ＤＳＰとしては、種々なものが用いられてもよい。
また、ベースバンド信号処理カードとしては、種々なものが用いられてもよい。
【００２８】
また、ベースバンド信号の処理としては、種々な処理が用いられてもよく、例えば、送信信号については、誤り訂正符号化の処理や、データをフレーム化する処理や、変調する処理などを用いることができ、受信信号については、復調する処理や、フレームからデータを抽出する処理や、誤り訂正復号化の処理などを用いることができる。
【００２９】
また、本発明に係る通信装置では、一構成例として、１つの処理部ユニットが有する各処理部としては、同一の処理部が用いられる。
なお、１つの処理部ユニットが異なる処理部を有するような構成が用いられてもよい。
【００３０】
また、本発明に係る通信装置では、一構成例として、各処理部ユニットとしては、同一の処理部ユニットが用いられる。
なお、通信装置に異なる処理部ユニットが備えられる構成が用いられてもよく、この場合には、処理実行処理部移行手段による移行元となる処理部と移行先となる処理部としては、移行対象となる同一の処理を実行することが可能である処理部が用いられる。
【００３１】
また、本発明に係る通信装置では、一構成例として、処理部ユニット電力供給量制御手段は、処理部ユニットが有する処理部の中で処理が実行される処理部の数に基づいて決定される量の電力が当該処理部ユニットへ供給されるように制御する。
一例として、処理を実行する各処理部により消費される電力の量が同一であるとすると、処理を実行する処理部の数が多いほど処理部ユニットへ供給する電力の量が多くなる。
【００３２】
また、本発明に係る通信装置では、一構成例として、処理部ユニットは、複数の処理部に共通な共通処理部を有する。
ここで、当該複数の処理部の数としては、種々な数が用いられてもよい。
一例として、処理部ユニットが有する全ての処理部に共通な共通処理部が備えられる。
また、共通処理部としては、種々なものが用いられてもよく、例えば、複数の処理部のそれぞれにより処理が実行される場合に共通に使用される回路などが用いられる。
【００３３】
また、本発明に係る通信装置では、一構成例として、処理部ユニットが複数の処理部に共通な共通処理部を有する場合には、処理部ユニット電力供給量制御手段は、共通処理部が使用される少なくとも１つの処理部により処理が実行されるときには、共通処理部へ供給する電力の量が含められた量の電力が処理部ユニットへ供給されるように制御する。
【００３４】
また、本発明に係る通信装置では、一構成例として、処理が実行される処理部によって実行される処理の量が異なって消費される電力の量が異なる場合には、処理部ユニット電力供給量制御手段は、処理部ユニットが有する各処理部により実行される処理の量の総和に基づいて決定される量の電力が当該処理部ユニットへ供給されるように制御する。
【００３５】
ここで、通常は、同一の処理部においては、実行する処理の量が多いほど消費される電力の量が多くなる。
また、例えば、同一の処理部により実行される処理の量と消費される電力の量との関係を設定しておき、当該処理部により実行される処理の量から当該処理部により消費される電力の量を算出するような構成を用いることも可能である。
【００３６】
また、本発明に係る通信装置では、一構成例として、処理部ユニットが有する各処理部に対して電力を供給するか否かを切り替える処理部電力供給切替手段を備える。そして、処理部電力供給切替手段を用いて、実行対象となる処理が与えられる処理部に対してのみ電力が供給されるように制御する。
ここで、処理部電力供給切替手段としては、例えば、スイッチなどを用いることができる。
【００３７】
また、本発明に係る通信装置では、一構成例として、各処理部は、実行対象として与えられる処理の量に応じた量の電力を消費し、実行対象となる処理が与えられない場合には電力を消費しない或いは例えば少量である所定の量の電力のみを消費する。このような構成では、例えば、各処理部に対して実行対象となる処理を与えるか否かにより当該各処理部による消費電力量を制御することが可能である。
【００３８】
また、本発明に係る通信装置では、一構成例として、当該通信装置が有する処理部により実行する対象となる処理を、各処理部へ割り当てる処理実行処理部割当手段を備える。
ここで、各処理部へ処理を割り当てる態様としては、種々な態様が用いられてもよく、例えば、設定された規則や或いは処理の状況などに応じて割り当てるような態様を用いることができる。
【００３９】
また、本発明に係る通信装置では、一構成例として、処理実行処理部移行手段は、所定の処理部ユニットが有する処理部の中で処理が実行される処理部のそれぞれにより実行される処理を実行する処理部を、当該それぞれの処理部から他の処理部ユニットが有する処理部へ移行させる。また、処理部ユニット電力供給量制御手段は、処理実行処理部移行手段による移行後に、全ての処理部により処理が非実行である（つまり、処理が実行されない）処理部ユニットへ供給される電力の量がゼロ又は例えば最小限で必要な所定の量となるように制御する。
【００４０】
ここで、処理実行処理部移行手段は、例えば、移行元となる処理部ユニットが有する処理部の中で処理が実行される処理部の一部のみについて移行を行ってもよく、或いは、全てについて移行を行ってもよく、全てについて移行を行う場合には当該処理部ユニットが有する全ての処理部により処理が実行されない状態となるため当該処理部ユニットへの電力供給量をゼロ又は少ない量とすることができる。
【００４１】
また、本発明に係る通信装置では、一構成例として、処理実行処理部移行手段は、全ての処理部により処理が非実行である（つまり、処理が実行されない）処理部ユニットの数が多くなるように、移行を行う。
従って、全ての処理部により処理が実行されない処理部ユニットの数が多くなることにより、複数の処理部ユニットの全体として、電力消費に関する効率化を図ることが可能である。
【００４２】
また、本発明に係る通信装置では、一構成例として、処理実行処理部移行手段は、当該通信装置が有する処理部により実行する対象となる処理が各処理部ユニットへ分散されるように、移行を行う。例えば、処理が各処理部ユニットへ均一に分散されるように或いは均一に近い態様で分散されるようにし、例えば、処理を実行する処理部の数が各処理部ユニットで同数或いは近い数となるようにする。
従って、例えば通信装置の使用状況に応じて、処理が各処理部ユニットへ分散されることにより、消費電力や発熱量を各処理部ユニットへ分散させることができる。
【００４３】
また、本発明に係る通信装置では、一構成例として、処理実行処理部移行手段は、時間帯と移行態様との対応を設定する時間帯移行態様対応設定手段を有し、当該設定内容に基づいて時間帯に対応する移行態様で、移行を行う。
ここで、移行態様としては、種々なものが用いられてもよく、例えば、消費電力低減を実現するための移行態様や、或いは、このような消費電力低減を実現するための移行態様を解除して元へ戻すような移行態様などを用いることができる。
【００４４】
また、本発明に係る通信装置では、一構成例として、処理実行処理部移行手段は、いずれかの処理部ユニットにおいて実行される処理の量が所定の第１の閾値未満である場合（或いは、所定の第１の閾値以下である場合）に、他の処理部ユニットが有する処理部により実行される処理を実行する処理部を、当該他の処理部ユニットが有する処理部から当該いずれかの処理部ユニットが有する処理部へ移行させる。その後、当該いずれかの処理部ユニットにおいて実行される処理の量が所定の第２の閾値を超えた場合（或いは、所定の第２の閾値以上となった場合）に、当該移行後の処理部により実行される処理を実行する処理部を、異なる処理部ユニットが有する処理部へ移行させる。一例として、当該移行後の処理部により実行される処理を実行する処理部を、当該移行前の処理部へ戻す。
【００４５】
ここで、所定の第１の閾値や、所定の第２の閾値としては、それぞれ種々な値が用いられてもよく、例えば、同一の値が用いられる。
また、処理部ユニットにおいて実行される処理の量と所定の第１の閾値との大小関係について判定して移行を行う処理を実行するタイミングや、当該移行後に処理部ユニットにおいて実行される処理の量と所定の第２の閾値との大小関係について判定して移行を解除などする処理を実行するタイミングとしては、それぞれ種々なタイミングが用いられてもよく、例えば、一定期間毎のタイミングなどを用いることができる。
【００４６】
また、本発明に係る通信装置では、処理実行処理部移行手段は、一構成例として、処理部を単位として、移行を行うか否かの判定処理や移行処理を実行することができ、他の構成例として、処理部ユニットが有する複数の処理部を単位（ひとまとまり）として、移行を行うか否かの判定処理や移行処理を実行することができる。
【００４７】
また、本発明では、一構成例として、通信装置は、無線通信システムの無線通信装置であり、一例として、基地局装置である。
ここで、無線通信システムとしては、例えば移動体通信システムなどの種々なものが用いられてもよい。
また、移動体通信システムとしては、例えば携帯電話システムや簡易型携帯電話システム（ＰＨＳ：Ｐｅｒｓｏｎａｌ  Ｈａｎｄｙ  ｐｈｏｎｅ  Ｓｙｓｔｅｍ）などの種々なものが用いられてもよい。
また、無線通信装置や、基地局装置としては、種々なものが用いられてもよい。
【００４８】
なお、本発明は、任意の処理を実行する複数の処理部を有した処理部ユニットを備えた処理装置に適用することも可能である。ここで、処理としては、種々な処理が用いられてもよい。また、処理装置としては、種々なものが用いられてもよい。
【００４９】
【発明の実施の形態】
本発明に係る実施例を図面を参照して説明する。
まず、本実施例に係る基地局装置の構成例や概略的な動作例を示す。
図１には、本実施例に係る基地局装置の構成例を示してある。
本実施例に係る基地局装置には、制御部１と、無線変復調部２と、増幅部（ＡＭＰ部）３と、外部インタフェース部４と、電源部５と、複数であるＮ個のベースバンド信号処理部Ｂ１〜ＢＮが備えられている。
【００５０】
また、制御部１には、電力制御部１１と、リアルタイムクロック１２と、タイマ１３が備えられている。
また、電力制御部１１には、時間判断部２１と、処理判断部２２と、処理量演算部２３と、電力供給処理部２４と、信号処理移行部２５が備えられている。
【００５１】
それぞれのベースバンド信号処理部Ｂ１〜ＢＮは、例えば、外部インタフェース部４から入力される信号に対してベースバンド信号処理を実行して当該実行結果の信号を無線変復調部２へ出力し、或いは、無線変復調部２から入力される信号に対してベースバンド信号処理を実行して当該実行結果の信号を外部インタフェース部４へ出力する。
【００５２】
ここで、本実施例では、それぞれのベースバンド信号処理部Ｂ１〜ＢＮは、ベースバンド信号処理を実行する例えば１２個のＤＳＰを有するカード（ベースバンド信号処理カード）から構成されている。本実施例では、基地局装置が複数のチャネルの信号を通信し、各ＤＳＰがそれぞれ可変に割り当てられる１つのチャネルの信号についての処理を実行する。具体的には、１個のベースバンド信号処理カードでは最大で１２チャネル分の信号処理を実行することが可能であり、Ｎ個のベースバンド信号処理カードでは最大で（１２×Ｎ）チャネル分の信号処理を実行することが可能である。
【００５３】
また、それぞれのベースバンド信号処理カードには、例えば、当該それぞれのベースバンド信号処理カードが有する１２個のＤＳＰに共通に使用される回路（付随回路）が設けられており、当該付随回路は例えばＤＳＰに対するチャネルの割り当てなどの制御などを行う。本実施例では、１個のベースバンド信号処理カードにおいて、１個以上のＤＳＰにより処理が実行される場合には、付随回路へ電力が供給される。
【００５４】
無線変復調部２は、ベースバンド信号処理部Ｂ１〜ＢＮから入力される信号に対して無線の変調を行って当該変調結果の信号を増幅部３へ出力し、或いは、増幅部３から入力される信号に対して無線の復調を行って当該復調結果の信号をベースバンド信号処理部Ｂ１〜ＢＮ（当該信号を処理するＤＳＰ）へ出力する。
【００５５】
増幅部３は、例えば増幅器を用いて構成されており、無線変復調部２から入力される信号を増幅してアンテナ（図示せず）へ出力して無線送信し、或いは、アンテナ（図示せず）により無線受信される信号を入力して増幅して無線変復調部２へ出力する。
なお、本実施例に係る基地局装置は、当該基地局装置により収容される１又は複数の移動局装置との間で、複数のチャネルを用いて、信号を無線により通信する。
【００５６】
外部インタフェース部４は、例えばバックボーンネットワークなどの外部と接続されており、外部から入力される信号をベースバンド信号処理部Ｂ１〜ＢＮ（当該信号を処理するＤＳＰ）へ出力し、或いは、ベースバンド信号処理部Ｂ１〜ＢＮから入力される信号を外部へ出力する。
なお、本実施例に係る基地局装置は、バックボーンネットワークなどを介して、他の基地局装置などとの間で、信号を通信する。
【００５７】
電源部５は、電源の電力を供給する機能を有しており、ベースバンド信号処理部Ｂ１〜ＢＮなどの各処理部に対して電力を供給する。
本実施例では、電源部５から各ベースバンド信号処理部Ｂ１〜ＢＮへ供給される電力の量が電力制御部１１により制御される。
【００５８】
制御部１は、各種の処理や制御を行う機能を有している。
リアルタイムクロック１２は、リアルタイムな時刻（現在の時刻）を計時し、当該時刻の情報を時間判断部２１へ出力する。
タイマ１３は、例えば所定の時刻を設定（記憶）するメモリを用いて構成されており、本実施例では、パワーセーブ設定時刻を設定するパワーセーブ設定時刻設定タイマの機能と、パワーセーブ解除時刻を設定するパワーセーブ解除時刻設定タイマの機能を有している。なお、時刻としては、例えば、日付を特定せずに何時何分といった時刻が用いられてもよく、或いは、日付や曜日などを特定して何時何分といった時刻が用いられてもよい。
【００５９】
時間判断部２１は、リアルタイムクロック１２から入力される時刻の情報を参照するとともに、タイマ１３の設定内容を参照して、現在の時刻とパワーセーブ設定時刻やパワーセーブ解除時刻とを比較し、現在の時刻がパワーセーブ設定時刻になっている場合にはパワーセーブ設定に関する処理を行い、現在の時刻がパワーセーブ解除時刻になっている場合にはパワーセーブ解除に関する処理を行う。
【００６０】
処理判断部２２は、例えば現在（当該判断処理を行うとき）又は未来において信号処理を実行するベースバンド信号処理部Ｂ１〜ＢＮの信号処理を実行する主体を、他のベースバンド信号処理部Ｂ１〜ＢＮへ移行することが可能であるか否かを判断する。
信号処理移行部２５は、信号処理を実行するベースバンド信号処理部Ｂ１〜ＢＮの信号処理を実行する主体を、他のベースバンド信号処理部Ｂ１〜ＢＮへ移行する。
【００６１】
処理量演算部２３は、各ベースバンド信号処理部Ｂ１〜ＢＮにより現在（当該算出を行うとき）又は未来において実行される対象となる処理の量を算出し、また、当該算出した処理量に基づいて、各ベースバンド信号処理部Ｂ１〜ＢＮへの電力供給量を算出する。
電力供給処理部２４は、例えば処理量演算部２３により算出される各ベースバンド信号処理部Ｂ１〜ＢＮへの電力供給量に基づいて、各ベースバンド信号処理部Ｂ１〜ＢＮへ供給する電力を制御する。
【００６２】
このような構成により、本実施例に係る基地局装置では、概略的には、例えば、予め設定された時刻になったときに所定のベースバンド信号処理部Ｂ１〜ＢＮの動作をオフにして、予め設定された時間帯において当該所定のベースバンド信号処理部Ｂ１〜ＢＮへの電力供給をオフにするようなパワーセーブ処理や、例えば、予め設定された時刻になったときに所定のベースバンド信号処理部Ｂ１〜ＢＮの動作をオンにして、予め設定された時間帯において当該所定のベースバンド信号処理部Ｂ１〜ＢＮへの電力供給をオンにするようなパワーセーブ解除処理などを行う。
【００６３】
次に、第１実施例として、ベースバンド信号処理部Ｂ１〜ＢＮの数が２個である場合、つまりＮ＝２である場合について説明する。
本例では、説明を簡易化するために、１個のベースバンド信号処理部Ｂ１、Ｂ２により実行することが可能な最大の処理の量（最大処理量）が１００であるとし、それぞれのベースバンド信号処理部Ｂ１、Ｂ２により実行される処理について余裕があるか否かを判断するための閾値を５０と設定する。
【００６４】
まず、図２を参照して、本例の基地局装置において、電力制御部１１によりベースバンド信号処理部Ｂ１、Ｂ２に関するパワーセーブを設定して開始する処理の手順の一例を示す。
すなわち、まず、時間判断部２１が、例えば常に或いは一定の周期毎に、パワーセーブを行う時刻（パワーセーブ設定時刻）となったか否かを判断する（ステップＳ１）。
【００６５】
この結果、時間判断部２１がパワーセーブ設定時刻となったことを判断した場合には、処理量演算部２３及び処理判断部２２が、一方のベースバンド信号処理部Ｂ１において現在に実行されている処理の量が所定の閾値（＝５０）以下であるか否かを判断する（ステップＳ２）。
【００６６】
この結果、処理量演算部２３及び処理判断部２２が一方のベースバンド信号処理部Ｂ１において現在に実行されている処理の量が所定の閾値を超えることを判断した場合には、次のパワーセーブ設定時刻となるのを待機し（ステップＳ１）、一方、処理量演算部２３及び処理判断部２２が一方のベースバンド信号処理部Ｂ１において現在に実行されている処理の量が所定の閾値以下であることを判断した場合には、以下の処理を行ってパワーセーブを行う。
【００６７】
すなわち、まず、上記のように処理量演算部２３及び処理判断部２２が一方のベースバンド信号処理部Ｂ１において現在に実行されている処理の量が所定の閾値以下であることを判断した後には、新規なユーザ（例えば、新規なチャネル）の処理については全て一方のベースバンド信号処理部Ｂ１により実行するように設定する（ステップＳ３）。
【００６８】
次に、このようにして新規なユーザの処理を実行する主体を一方のベースバンド信号処理部Ｂ１に限定した後に、処理量演算部２３及び処理判断部２２が、他方のベースバンド信号処理部Ｂ２において現在に信号処理を実行しているか否かを判断する（ステップＳ４）。
【００６９】
この結果、処理量演算部２３及び処理判断部２２が他方のベースバンド信号処理部Ｂ２において現在に信号処理を実行していないことを判断した場合には、処理量演算部２３が各ベースバンド信号処理部Ｂ１、Ｂ２における処理の量を求めて各ベースバンド信号処理部Ｂ１、Ｂ２へ供給する電力の量（電力供給量）を算出し（ステップＳ７）、電力供給処理部２４が当該算出される電力供給量に応じて各ベースバンド信号処理部Ｂ１、Ｂ２へ電力を供給するように制御する（ステップＳ８）。
【００７０】
一方、上記の結果（ステップＳ４）、処理量演算部２３及び処理判断部２２が他方のベースバンド信号処理部Ｂ２において現在に信号処理を実行していることを判断した場合には、処理判断部２２が、他方のベースバンド信号処理部Ｂ２において現在に実行されている処理の主体を一方のベースバンド信号処理部Ｂ１へ移行することが可能であるか否かを判断する（ステップＳ５）。
【００７１】
この結果、処理判断部２２が他方のベースバンド信号処理部Ｂ２において現在に実行されている処理の主体を一方のベースバンド信号処理部Ｂ１へ移行することができないことを判断した場合には、処理量演算部２３が各ベースバンド信号処理部Ｂ１、Ｂ２における処理の量を求めて各ベースバンド信号処理部Ｂ１、Ｂ２へ供給する電力の量（電力供給量）を算出し（ステップＳ７）、電力供給処理部２４が当該算出される電力供給量に応じて各ベースバンド信号処理部Ｂ１、Ｂ２へ電力を供給するように制御する（ステップＳ８）。
【００７２】
一方、上記の結果（ステップＳ５）、処理判断部２２が他方のベースバンド信号処理部Ｂ２において現在に実行されている処理の主体を一方のベースバンド信号処理部Ｂ１へ移行することができることを判断した場合には、信号処理移行部２５が、他方のベースバンド信号処理部Ｂ２において現在に実行されている処理が一方のベースバンド信号処理部Ｂ１により実行されるように、処理の実行主体を移行させる（ステップＳ６）。そして、当該移行後に、処理量演算部２３が各ベースバンド信号処理部Ｂ１、Ｂ２における処理の量を求めて各ベースバンド信号処理部Ｂ１、Ｂ２へ供給する電力の量（電力供給量）を算出し（ステップＳ７）、電力供給処理部２４が当該算出される電力供給量に応じて各ベースバンド信号処理部Ｂ１、Ｂ２へ電力を供給するように制御する（ステップＳ８）。
【００７３】
このように、本例の基地局装置では、予め設定した時間帯になったときに、一方のベースバンド信号処理部Ｂ１や他方のベースバンド信号処理部Ｂ２のハードウエアリソースの使用状況を調べて、これら２個のベースバンド信号処理部Ｂ１、Ｂ２の両方における信号処理の量を一方のベースバンド信号処理部Ｂ１だけで十分に実行することが可能であるか否かを判断する。そして、可能であると判断した場合には、以後において新規に接続してくるユーザについての信号処理が一方のベースバンド信号処理部Ｂ１のみに割り振られるように設定し、その後、他方のベースバンド信号処理部Ｂ２において進行中である信号処理を一方のベースバンド信号処理部Ｂ１へ移動させて、他方のベースバンド信号処理部Ｂ２をシステムから例えば信号処理上で切断し、他方のベースバンド信号処理部Ｂ２の電源をオフにする。
【００７４】
なお、本例では、パワーセーブ設定時刻となったか否かを判断して（ステップＳ１）、パワーセーブ設定時刻となった場合に上記した以降の処理（ステップＳ２〜ステップＳ８）を行う構成としたが、他の構成例として、パワーセーブ設定時刻を設けないような構成とすることも可能であり、この場合には、例えば、上記したステップＳ１の処理を省略してステップＳ２〜ステップＳ８の処理を行う。
【００７５】
次に、図３を参照して、本例の基地局装置において、ベースバンド信号処理部Ｂ１、Ｂ２に関するパワーセーブが開始された後に、電力制御部１１により当該パワーセーブを解除して終了する処理の手順の一例を示す。
すなわち、まず、処理量演算部２３及び処理判断部２２が、例えば常に或いは一定の周期毎に、一方のベースバンド信号処理部Ｂ１により実行される処理の量を算出して、算出される処理量が所定の閾値（＝５０）以下であるか否かを判断する（ステップＳ１１）。
【００７６】
また、この結果、処理量演算部２３及び処理判断部２２が一方のベースバンド信号処理部Ｂ１により実行される処理の量が所定の閾値以下であることを判断した場合には、時間判断部２１がパワーセーブ解除時刻となったか否かを判断する（ステップＳ１２）。ここで、時間判断部２１がパワーセーブ解除時刻となっていないことを判断した場合には、再び、上記した処理量と閾値とを比較する判断処理へ戻る（ステップＳ１１）。
【００７７】
一方、上記において、処理量演算部２３及び処理判断部２２が一方のベースバンド信号処理部Ｂ１により実行される処理の量が所定の閾値を超えることを判断した場合や（ステップＳ１１）、或いは、時間判断部２１がパワーセーブ解除時刻となったことを判断した場合には（ステップＳ１２）、信号処理移行部２５が、一方のベースバンド信号処理部Ｂ１がパワーセーブの設定時に請け負った処理の主体を他方のベースバンド信号処理部Ｂ２へ移行する（ステップＳ１３）。
【００７８】
そして、このような移行により、パワーセーブの設定時に他方のベースバンド信号処理部Ｂ２により実行されていた処理を当該他方のベースバンド信号処理部Ｂ２へ戻した後に、処理量演算部２３が各ベースバンド信号処理部Ｂ１、Ｂ２における処理の量を求めて各ベースバンド信号処理部Ｂ１、Ｂ２へ供給する電力の量（電力供給量）を算出し（ステップＳ１４）、電力供給処理部２４が当該算出される電力供給量に応じて各ベースバンド信号処理部Ｂ１、Ｂ２へ電力を供給するように制御する（ステップＳ１５）。
【００７９】
このように、本例の基地局装置では、パワーセーブが設定されている時間帯において、一方のベースバンド信号処理部Ｂ１の使用状況を常に監視して、例えば通信トラフィック量が増加してきたような場合などにパワーセーブを解除することができるようにしてあり、具体的には、通信トラフィック量が増加して一方のベースバンド信号処理部Ｂ１だけでは余裕が無くなってきたようなときや、或いは、パワーセーブを設定しておく時間帯が終了したとき（パワーセーブ解除時刻となったとき）には、直ちに、他方のベースバンド信号処理部Ｂ２の電源をオンにして、他方のベースバンド信号処理部Ｂ２をシステムへ例えば信号処理上で接続する。
【００８０】
なお、本例では、パワーセーブ解除時刻となったか否かを判断する処理（ステップＳ１２）を行う構成としたが、他の構成例として、パワーセーブ解除時刻を設けないような構成とすることも可能であり、この場合には、例えば、上記したステップＳ１２の処理を省略して他のステップＳ１１、ステップＳ１３〜ステップＳ１５の処理を行う。
【００８１】
以上のように、本例の基地局装置では、送受信を行うための信号処理を施す複数の信号処理部Ｂ１、Ｂ２を備えた無線機を有する構成において、処理量演算部２３が複数の信号処理部Ｂ１、Ｂ２の各々の処理量を算出して当該算出された各々の信号処理部Ｂ１、Ｂ２の処理量に応じて各々の信号処理部Ｂ１、Ｂ２の電力供給量を算出し、電力供給処理部２４が各々の信号処理部Ｂ１、Ｂ２に対して当該算出された電力供給量以上の電力を供給するように制御する。
【００８２】
また、本例の基地局装置では、処理量演算部２３が各々の信号処理部Ｂ１、Ｂ２の処理量を算出し、処理判断部２２が当該算出された各々の信号処理部Ｂ１、Ｂ２の処理量に基づいて一方の信号処理部Ｂ１により他方の信号処理部Ｂ２の処理を実行することが可能であるか否かを判断し、可能であると判断された場合には、信号処理移行部２５が他方の信号処理部Ｂ２の信号処理を一方の信号処理部Ｂ１へ移動させる。
【００８３】
そして、本例の基地局装置では、処理量演算部２３が当該移行後における一方の信号処理部Ｂ１の処理量に応じて電力供給量を算出し、電力供給処理部２４が一方の信号処理部Ｂ１に対して当該算出された電力供給量以上の電力を供給するように制御する。また、当該移行後においては、電力供給処理部２４が、他方の信号処理部Ｂ２に対して例えばゼロ或いは最小限で必要な量である予め設定された電力供給量で電力供給を行うように制御する。
【００８４】
次に、第２実施例として、ベースバンド信号処理部Ｂ１〜ＢＮの数が３個以上である場合、つまりＮ≧３である場合について説明する。
本例では、説明を簡易化するために、１個のベースバンド信号処理部Ｂ１〜ＢＮにより実行することが可能な最大の処理の量（最大処理量）が１００であるとし、それぞれのベースバンド信号処理部Ｂ１〜ＢＮにより実行される処理について余裕があるか否かを判断するための閾値を５０と設定する。
【００８５】
まず、図４を参照して、本例の基地局装置において、電力制御部１１によりベースバンド信号処理部Ｂ１〜ＢＮに関するパワーセーブを設定して開始する処理の手順の一例を示す。
なお、本例では、パワーセーブ設定時刻を設けない場合の処理を例として示すが、他の構成例として、例えば上記図２に示したような処理手順と同様に、パワーセーブ設定時刻となったか否かを判断する処理を行う構成とすることも可能である。
【００８６】
すなわち、まず、処理量演算部２３が、Ｎ個の全てのベースバンド信号処理部Ｂ１〜ＢＮの各々の処理量を算出し（ステップＳ２１）、処理判断部２２が、算出される処理量が大きい順にベースバンド信号処理部Ｂ１〜ＢＮについてソートを行う（ステップＳ２２）。また、処理判断部２２は、当該ソートを行うに際して、処理量がゼロ（０）であるベースバンド信号処理部Ｂ１〜ＢＮがあった場合には、当該ベースバンド信号処理部Ｂ１〜ＢＮをソートの対象から除く（ステップＳ２３）。
【００８７】
次に、以下のような移行判断及び移行処理（ステップＳ２４〜ステップＳ３２）を行うことにより、処理判断部２２が、他のベースバンド信号処理部Ｂ１〜ＢＮへ処理を移動させることが可能なベースバンド信号処理部Ｂ１〜ＢＮがあるか否かを判断し、この結果、このようなベースバンド信号処理部Ｂ１〜ＢＮがあった場合には、信号処理移行部２５が、当該ベースバンド信号処理部Ｂ１〜ＢＮの処理の主体を他のベースバンド信号処理部Ｂ１〜ＢＮへ移行する。
【００８８】
具体的には、まず、処理判断部２２が、上記のようにして処理量が大きい順にソートされたｎ個のベースバンド信号処理部（Ｎ個のベースバンド信号処理部Ｂ１〜ＢＮの中のｎ個）の処理量に対して、処理量が大きい順にＡ１、Ａ２、・・・、Ａｎを割り当てる（ステップＳ２４）。ここで、ｎは、ソートされているベースバンド信号処理部の数を表しており、ｎ≦Ｎとなる。
【００８９】
次に、処理判断部２が、パラメータであるｍ＝０として（ステップＳ２５）、ソートされたｎ個のベースバンド信号処理部の処理量が大きい順に並べられたｎ個の値（Ａ１＝最大の処理量、Ａ２＝２番目に大きい処理量、・・・、Ａｎ＝最小の処理量）が式１の条件を満たすか否かを判定する（ステップＳ２６）。ここで、Ｘは、１個のベースバンド信号処理部Ｂ１〜ＢＮにより実行することが可能な最大の処理の量（＝１００）を表している。
【００９０】
【数１】
2004235969.tif 000003
【００９１】
この結果、上記式１の条件を満たさない場合には、処理判断部２２は、パラメータｍの値を１だけ増加させて（ステップＳ２７）、再び、上記式１の条件を満たすか否かの判定を行い（ステップＳ２６）、上記式１の条件を満たすまで、これを繰り返して行う。
【００９２】
そして、上記式１の条件を満たした場合には、処理判断部２２は、パラメータｍの値が０であるか否かを判定する（ステップＳ２８）。この結果、パラメータｍ＝０であると判定した場合には、処理判断部２２は、最大の処理量Ａ１に対応するベースバンド信号処理部へ他のベースバンド信号処理部の処理を移動させることができないとみなして当該最大の処理量Ａ１に対応するベースバンド信号処理部をソートの対象から除き（ステップＳ２９）、一方、パラメータｍ＞０であると判定した場合には、処理判断部２２は、処理量Ａ（ｎ−ｍ＋１）から処理量Ａｎまでに対応するｍ個のベースバンド信号処理部の処理を最大の処理量Ａ１に対応するベースバンド信号処理部へ移動させることが可能であるとみなして、信号処理移行部２５が当該移動を行い、処理判断部２２は最大の処理量Ａ１及び処理量Ａ（ｎ−ｍ＋１）から処理量Ａｎまでに対応する計（ｍ＋１）個のベースバンド信号処理部をソートの対象から除く（ステップＳ３０）。
【００９３】
このようにして（ｍ＋１）個のベースバンド信号処理部がソートの対象から除かれると、ソートの対象となるベースバンド信号処理部の数ｎは、当該除かれる前のｎの値から（ｍ＋１）を減算した値となる（ステップＳ３１）。
次に、処理判断部２２は、当該除かれた後においてソートの対象となるベースバンド信号処理部の数ｎが１より大きいか否かを判定し（ステップＳ３２）、この結果、ソートの対象となるベースバンド信号処理部の数ｎが１より大きいことを判定した場合には、再び、上記のような移行判断及び移行処理（ステップＳ２４〜ステップＳ３２）を行う。
【００９４】
一方、上記の結果（ステップＳ３２）、処理判断部２２がソートの対象となるベースバンド信号処理部の数ｎが１以下であることを判定した場合には、処理量演算部２３が、処理を実行している１又は複数のベースバンド信号処理部について、各ベースバンド信号処理部における処理の量を求めて当該各ベースバンド信号処理部へ供給する電力の量（電力供給量）を算出し（ステップＳ３３）、電力供給処理部２４が当該算出される電力供給量に応じて当該各ベースバンド信号処理部へ電力を供給するように制御する（ステップＳ３４）。
【００９５】
なお、本例では、パワーセーブを設定する際に例えば可能な限り多くの処理を移行させるような構成を示したが、他の構成例として、パワーセーブの状態で動作をオンにするベースバンド信号処理部の数を定めておく構成や、パワーセーブの状態で動作をオフにするベースバンド信号処理部の数を定めておく構成などを用いることも可能である。
【００９６】
次に、図５を参照して、本例の基地局装置において、ベースバンド信号処理部Ｂ１〜ＢＮに関するパワーセーブが開始された後に、電力制御部１１により当該パワーセーブを解除して終了する処理の手順の一例を示す。
なお、本例では、パワーセーブ解除時刻を設けない場合の処理を例として示すが、他の構成例として、例えば上記図３に示したような処理手順と同様に、パワーセーブ解除時刻となったか否かを判断する処理を行う構成とすることも可能である。
【００９７】
すなわち、まず、処理量演算部２３が、例えば常に或いは一定の周期毎に、各ベースバンド信号処理部Ｂ１〜ＢＮの処理量を算出し（ステップＳ４１）、処理判断部２２が、当該算出された各処理量に基づいて、処理量が所定の閾値（＝５０）を超えているベースバンド信号処理部があるか否かを判断する（ステップＳ４２）。ここで、処理判断部２２が処理量が閾値を超えたベースバンド信号処理部がないことを判断した場合には、再び、処理量を算出する処理へ戻る（ステップＳ４１）。
【００９８】
一方、処理判断部２２が処理量が閾値を超えたベースバンド信号処理部があることを判断した場合には、信号処理移行部２５が、処理量が閾値を超えたベースバンド信号処理部がパワーセーブの設定時に他のベースバンド信号処理部から請け負った処理の主体を、元のベースバンド信号処理部（つまり、当該他のベースバンド信号処理部）へ移行させる（ステップＳ４３）。
【００９９】
そして、当該移行後に、処理量演算部２３が、処理を実行している１又は複数のベースバンド信号処理部について、各ベースバンド信号処理部における処理の量を求めて当該各ベースバンド信号処理部へ供給する電力の量（電力供給量）を算出し（ステップＳ４４）、電力供給処理部２４が当該算出される電力供給量に応じて当該各ベースバンド信号処理部へ電力を供給するように制御する（ステップＳ４５）。
【０１００】
なお、本例では、パワーセーブの設定時に移行元となるベースバンド信号処理部から移行先となるベースバンド信号処理部へ移動させた処理（ここで、処理Ａと言う）を、パワーセーブの解除時に元のベースバンド信号処理部（つまり、当該移行元となるベースバンド信号処理部）へ戻す構成を示したが、他の構成例として、当該処理Ａを、元のベースバンド信号処理部以外で空いているベースバンド信号処理部へ移動させるような構成を用いることも可能である。
【０１０１】
以上のように、本例の基地局装置では、送受信を行うための信号処理を施す複数の信号処理部Ｂ１〜ＢＮを備えた無線機を有する構成において、処理量演算部２３が複数の信号処理部Ｂ１〜ＢＮの各々の処理量を算出して当該算出された各々の信号処理部Ｂ１〜ＢＮの処理量に応じて各々の信号処理部Ｂ１〜ＢＮの電力供給量を算出し、電力供給処理部２４が各々の信号処理部Ｂ１〜ＢＮに対して当該算出された電力供給量以上の電力を供給するように制御する。
【０１０２】
また、本例の基地局装置では、処理量演算部２３が複数の信号処理部Ｂ１〜ＢＮの各々の処理量を算出し、処理判断部２２が当該算出された各々の信号処理部Ｂ１〜ＢＮの処理量に基づいて例えば現在において信号処理を行っている少なくとも１個の信号処理部の信号処理の実行主体を他の信号処理部へ移行することが可能であるか否かを判断し、信号移行部２５が当該移行が可能であると判断された信号処理部のうち少なくとも１個の信号処理部の処理の実行主体を他の信号処理部へ移行させる。
【０１０３】
そして、本例の基地局装置では、処理量演算部２３が当該移行後における各々の信号処理部Ｂ１〜ＢＮの処理量に応じた当該各々の信号処理部Ｂ１〜ＢＮへの電力供給量を算出し、電力供給処理部２４が当該算出された電力供給量以上の電力を当該各々の信号処理部Ｂ１〜ＢＮへ供給するように制御する。この場合、電力供給処理部２４は、当該移行後において信号処理を実行しない信号処理部に対しては、例えばゼロ或いは最小限で必要な量である予め設定された電力供給量で電力供給を行うように制御する。
【０１０４】
以上の第１実施例及び第２実施例で示したように、本実施例に係る基地局装置では、複数のベースバンド信号処理カード（ベースバンド信号処理部Ｂ１〜ＢＮ）を着脱自在に装着することが可能であり、時間帯やリソースの使用状況に応じて一部のベースバンド信号処理カードの動作をオンやオフさせる機能を有する。
【０１０５】
そして、本実施例に係る基地局装置では、複数のベースバンド信号処理部Ｂ１〜ＢＮを利用して処理を実行するに際して、各ベースバンド信号処理部Ｂ１〜ＢＮのハードウエアリソースの使用状況を各々計算し、現在において実行されている処理についての全部のデータをより少数のベースバンド信号処理部により処理することが可能である場合には、現在において実行されている処理を当該より少数のベースバンド信号処理部により実行するように、処理の移動を行う。その後、処理を実行しないベースバンド信号処理部に対しては、電源をオフの状態に設定して、パワーセーブを実現する。また、処理を実行するベースバンド信号処理部に対しては、処理に必要な電力のみを供給して、パワーセーブを実現する。
【０１０６】
従って、本例の基地局装置では、例えば通信トラフィック量が少ない時間帯においてほとんど使われることのないハードウエアリソースにより無駄に消費されてしまっていた電力を節約することができる。一例として、夜間の時間帯には人の出入りが無くなるような屋内に設置される基地局装置に本例の構成を適用して、当該夜間の時間帯などにパワーセーブを行うことができる。
【０１０７】
このように、本例の基地局装置では、例えば、制御部１、無線変復調部２、ベースバンド信号処理部Ｂ１〜ＢＮなどといった各機能毎のカードを用いた構成において、複数のベースバンド信号処理部Ｂ１〜ＢＮに関して、データ処理に必要な電力のみを供給することにより、使用されないハードウエアリソースにより無駄な電力が消費されることを防止することができ、これにより、例えば従来と比べて、消費電力量を低減させることができる。
【０１０８】
ここで、本実施例では、それぞれのベースバンド信号処理部Ｂ１〜ＢＮ毎に、それぞれのベースバンド信号処理部Ｂ１〜ＢＮが有する複数のＤＳＰにより実行される処理の量や、それぞれのベースバンド信号処理部Ｂ１〜ＢＮが有する複数のＤＳＰにより消費される電力の量をひとまとめとして、つまり、ベースバンド信号処理部Ｂ１〜ＢＮを単位として、処理量の算出処理や、電力量の算出処理や、移行が可能であるか否かの判断処理や、移行処理などを行う構成を示したが、他の構成例として、ＤＳＰを単位として、種々の処理を行うような構成を用いることも可能である。
【０１０９】
なお、本実施例では、本発明に係る通信装置が、移動体通信システムの基地局装置に適用されている。
また、本実施例では、ベースバンド信号処理部Ｂ１〜ＢＮとして用いられるベースバンド信号処理カードにより処理部ユニットが構成されており、ベースバンド信号処理カードが有する複数のＤＳＰにより複数の処理部が構成されており、通信に関する処理としてベースバンド信号の処理が用いられている。
【０１１０】
また、本実施例に係る基地局装置では、処理量演算部２３により各ベースバンド信号処理部Ｂ１〜ＢＮの処理量に基づいて決定される量の電力を電力供給処理部２４が当該各ベースバンド信号処理部Ｂ１〜ＢＮへ電源部５から供給するように制御する機能により、処理部ユニット電力供給量制御手段が構成されている。
また、本実施例に係る基地局装置では、例えば時間判断部２１による判断や処理判断部２２による判断に基づいて信号処理移行部２５がベースバンド信号処理部Ｂ１〜ＢＮにより実行される処理の実行主体を変更する（つまり、移行させる）機能により、処理実行処理部移行手段が構成されている。
【０１１１】
ここで、本発明に係る通信装置や通信システムなどの構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能である。
また、本発明の適用分野としては、必ずしも以上に示したものに限られず、本発明は、種々な分野に適用することが可能なものである。
【０１１２】
また、本発明に係る通信装置や通信システムなどにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【０１１３】
【発明の効果】
以上説明したように、本発明に係る通信装置によると、通信に関する処理を実行する複数の処理部を有した処理部ユニットを備えた構成において、処理部ユニットにおいて実行される処理の量に基づいて決定される量の電力が当該処理部ユニットへ供給されるように制御するようにしたため、例えば従来のように最大の量の処理を実行することが可能な電力が常に処理部ユニットへ供給されるような場合と比べて、処理部ユニットにより消費される電力の量を低減させることができる。
【０１１４】
また、本発明に係る通信装置によると、通信に関する処理を実行する複数の処理部を有した処理部ユニットを複数備えた構成において、任意の処理部ユニットが有する任意の処理部により実行される処理を実行する処理部を、当該任意の処理部から他の処理部ユニットが有する任意の処理部へ移行させるようにしたため、例えば、処理を実行する処理部を１つの処理部ユニットに集中させることや、或いは、処理を実行する処理部を複数の処理部ユニットに分散させることなどができ、これにより、電力消費などについて効率化を図ることができる。
【０１１５】
また、本発明に係る通信装置では、一構成例として、上記のような移行を行った後に、各処理部ユニットについて、実行される処理の量に基づいて決定される量の電力が供給されるように制御するようにしたため、当該移行後において、各処理部ユニットによる電力消費について効率化を図ることができる。
【図面の簡単な説明】
【図１】本発明の一実施例に係る基地局装置の構成例を示す図である。
【図２】第１実施例に係るパワーセーブを開始する処理の手順の一例を示す図である。
【図３】第１実施例に係るパワーセーブを終了する処理の手順の一例を示す図である。
【図４】第２実施例に係るパワーセーブを開始する処理の手順の一例を示す図である。
【図５】第２実施例に係るパワーセーブを終了する処理の手順の一例を示す図である。
【図６】従来例に係る基地局装置の構成例を示す図である。
【符号の説明】
１・・制御部、  ２・・無線変復調部、  ３・・増幅部、
４・・外部インタフェース部、  ５・・電源部、
Ｂ１〜ＢＮ・・ベースバンド信号処理部、  １１・・電力制御部、
１２・・リアルタイムクロック、  １３・・タイマ、  ２１・・時間判断部、
２２・・処理判断部、  ２３・・処理量演算部、  ２４・・電力供給処理部、
２５・・信号処理移行部、
【図１】
2004235969.tif 000004
【図２】
2004235969.tif 000005
【図３】
2004235969.tif 000006
【図４】
2004235969.tif 000007
【図５】
2004235969.tif 000008
【図６】
2004235969.tif 000009